(57)【特許請求の範囲】
【請求項１】
少なくとも１個のＬＥＤ素子を備えるＬＥＤ回路がＮ段直列に接続されて構成されるＬＥＤ群と、
交流電力の供給を受けるための交流電源端子と、
入力端子と出力端子とを有し、前記入力端子に供給される交流電流を全波整流して前記出力端から出力する全波整流回路と、
コンデンサと前記コンデンサに並列に接続した抵抗とを備える並列回路と、
前記ＬＥＤ群と前記全波整流回路と前記コンデンサおよび前記抵抗を備える前記並列回路とを保持するための樹脂製回路基板と、
前記樹脂製回路基板を収納するハウジングと、を備え、
前記並列回路を構成する前記コンデンサの容量を０．５マイクロファラッド以上で１０マイクロファラッド以下の範囲の値とすることにより、前記並列回路から前記ＬＥＤ群に供給されるＬＥＤ電流のピーク値が前記コンデンサの容量に依存して定まるようになし、
さらに前記ＬＥＤ群に前記ＬＥＤ電流を供給するために前記並列回路が供給する電流が遮断期間と通電期間を有すると共に、前記遮断期間より前記通電期間が長くなるようになし、
前記コンデンサと前記抵抗とを有する前記並列回路と前記全波整流回路の前記入力端子とが、前記交流電源端子間に直列に接続されることにより、前記並列回路が発生する前記コンデンサの充放電電流が、前記全波整流回路を介して脈動電流の状態で、しかも前記脈動電流のピーク値が前記コンデンサの容量に依存し且つ前記遮断期間より前記通電期間が長くなる状態で、前記ＬＥＤ群を前記ＬＥＤ電流として流れるようにし、
前記ＬＥＤ群を流れる前記ＬＥＤ電流の最大値が前記並列回路を構成する前記コンデンサの容量に依存して定まり、また前記コンデンサと前記抵抗を有する前記並列回路が供給する前記充放電電流が前記遮断期間を有しており、前記並列回路から供給されて前記ＬＥＤ群を流れる前記ＬＥＤ電流の前記遮断期間が前記ＬＥＤ回路の前記段数Ｎに基づいて定まり、前記全波整流回路の使用により前記ＬＥＤ群を流れる前記ＬＥＤ電流の前記遮断期間より前記ＬＥＤ群を流れる前記ＬＥＤ電流の前記通電期間の方が長くなるようにした、ＬＥＤを使用した照明装置であって、
前記各ＬＥＤ素子の電流が流れ始める前記各ＬＥＤ素子への供給電圧をＶＬＣとし、前記ＬＥＤ群を構成する前記ＬＥＤ回路の段数を前記Ｎとし、供給される前記交流電圧の実効電圧をＰＶとしたとき、前記段数Ｎは、次の式、  ＶＬＣ×Ｎ  ≧  ＰＶ／４  、が成立する値であって、
前記ＬＥＤ回路の段数Ｎを９段以上で４０段以下の範囲の数とし、これにより前記ＬＥＤ群を流れる全波整流された脈動電流の各脈動ごとの前記遮断期間が形成され、
前記コンデンサの容量を０．５マイクロファラッド以上で１０マイクロファラッド以下の範囲の値とし、これにより全波整流されて形成された前記各脈動電流における電流ピーク値が設定され、前記電流ピーク値に基づいて明るく感知させる周期的な最大発光量が生成されるように設定されるものであり、
前記樹脂製回路基板が前記ハウジングに設けられることにより、前記樹脂製回路基板の両面に空隙が形成されると共に、前記樹脂製回路基板の両面がそれぞれ前記空隙内の空気に直接触れる状態となり、
前記樹脂製回路基板の中央部に少なくとも前記コンデンサと前記抵抗とを有する前記並列回路と前記整流回路が配置され、前記中央部の外周に前記ＬＥＤ群を構成する前記ＬＥＤ回路が配置されている、
ことを特徴とするＬＥＤを使用した照明装置。
【請求項２】
請求項１に記載のＬＥＤを使用した照明装置において、前記樹脂製回路基板の中央部に少なくとも前記コンデンサと前記抵抗とを備える前記並列回路と前記整流回路が配置され、前記中央部の外周に複数の円を描くように前記ＬＥＤ群を構成する前記ＬＥＤ回路が配置され、前記複数の円は互いに同心円を為すように配置されている、ことを特徴とするＬＥＤを使用した照明装置。
【請求項３】
請求項１あるいは請求項２に記載のＬＥＤを使用した照明装置において、前記各段を構成する前記各ＬＥＤ回路は、その一方側において第１接続配線により一方側の隣接するＬＥＤ回路と接続され、その他方側において第２接続配線により他方側の隣接するＬＥＤ回路と接続されることにより、互いに直列に接続され、
前記各ＬＥＤ回路は、前記第１接続配線に接続された一方側第１接続端子と一方側第２接続端子、および前記第２接続配線に接続された他方側第１接続端子と他方側第２接続端子、を有し、
前記一方側第１接続端子と前記他方側第１接続端子とが対向するように配置され、また前記一方側第２接続端子と前記他方側第２接続端子とが対向するように配置され、
互いに対向する前記一方側第１接続端子と前記他方側第１接続端子との間に１つのＬＥＤ素子が接続され、互いに対向する前記一方側第２接続端子と前記他方側第２接続端子との間に他のＬＥＤ素子が接続される、
ことを特徴とするＬＥＤを使用した照明装置。
【請求項４】
請求項１あるいは請求項２に記載のＬＥＤを使用した照明装置において、
前記各段を構成する前記各ＬＥＤ回路は、その一方側において第１接続配線により一方側の隣接するＬＥＤ回路と接続され、その他方側において第２接続配線により他方側の隣接するＬＥＤ回路と接続されることにより、互いに直列に接続され、
前記各ＬＥＤ回路は、前記第１接続配線に接続された一方側第１接続端子と一方側バイパス端子、および前記第２接続配線に接続された他方側第１接続端子と他方側バイパス端子、を有し、前記一方側バイパス端子と前記他方側バイパス端子を電気的に接続することにより、前記ＬＥＤ回路のバイパス回路が形成される、
ことを特徴とするＬＥＤを使用した照明装置。
【請求項５】
請求項１乃至４の内の１に記載のＬＥＤを使用した照明装置において、
前記ハウジングは一方の面に光を透過する光透過カバーを有し、前記光透過カバーに対向するように前記樹脂製回路基板が前記ハウジング内に配置され、
前記樹脂製回路基板の前記光透過カバー側に前記ＬＥＤ群を配置した、
ことを特徴とするＬＥＤを使用した照明装置。
【請求項６】
請求項５に記載のＬＥＤを使用した照明装置において、前記樹脂製回路基板の前記光透過カバー側に前記ＬＥＤ群に加えて前記コンデンサと前記抵抗とを備える前記並列回路と前記整流回路が配置されている、ことを特徴とするＬＥＤを使用した照明装置。
【請求項７】
請求項６に記載のＬＥＤを使用した照明装置において、前記ハウジングは、円筒部を有する第１ケースと円筒部を有する第２ケースとを有し、前記第１ケースの前記円筒部と前記第２ケースの前記円筒部とは互いに径の大きさが異なる形状を成して互いに重なり合うように配置され、前記第１ケースには円形の孔が形成され、前記第１ケースの前記孔の部分に前記光透過カバーを配置した、ことを特徴とするＬＥＤを使用した照明装置。
【請求項８】
請求項７に記載のＬＥＤを使用した照明装置において、前記第２ケースに前記樹脂製回路基板がねじで固定されている、ことを特徴とするＬＥＤを使用した照明装置。
【発明の詳細な説明】
【技術分野】
【０００１】
本発明はＬＥＤを使用した照明装置に関する。
【背景技術】
【０００２】
Light Emitting Diode（以下ＬＥＤと記す）を使用した照明装置はＬＥＤ素子を多数備え、電流を前記ＬＥＤ素子に供給して前記ＬＥＤ素子を発光させるように構成されている。光源として使用されているＬＥＤ素子は、順方向の供給電圧を略ゼロ（V）の状態から徐々に上昇させると所定の電圧VLC（V）で前記ＬＥＤ素子に電流が流れ始め、発光動作が始まる。さらに供給電圧を上昇すると、前記ＬＥＤ素子を流れる電流は増大し、前記ＬＥＤ素子の発光量は増大する。しかしＬＥＤ素子は一般のダイオード素子と異なり、順方向での電圧降下が大きく、このため消費電力が大きい。この消費電力は発光に使用されるだけでなく、かなりの電力量が熱に変換され、ＬＥＤ素子の温度を上昇させる。
【０００３】
従来の照明装置は、交流電力を整流し、さらに平滑コンデンサにより平滑し、一定電圧の電力をＬＥＤ素子に供給している。できるだけ少ないＬＥＤ素子数で、できるだけ明るくするために、従来の照明装置には、限界値に近い電圧が供給され、限界値に使い電流を連続して流すように作られている。ＬＥＤ素子の明るさを調整する場合には、平滑コンデンサを有する定電圧電源の後段にパルスワイドモデュレーション（以下PWMと記す）制御回路を設け、PWM制御によりＬＥＤ素子への供給電力を制御する。このような構成では、ＬＥＤ素子の発熱によりＬＥＤ素子の温度が上昇するため、熱伝導率に優れる金属板によりＬＥＤ素子の発熱を放散する放熱機構が設けられ、ＬＥＤ素子の温度上昇を抑制している。
【０００４】
上述した交流電力を整流してさらに平滑し、定電圧を発生してこの定電圧電力をＬＥＤ素子に供給する技術は、例えば特開２０１０−３３８６３号公報（特許文献１）に開示されている。また、変動する交流電力をＬＥＤ素子へ供給する技術は、特開２００７−１９４０７１号公報（特許文献２）に開示されている。
【先行技術文献】
【特許文献】
【０００５】
【特許文献１】特開２０１０−０３３８６３号公報
【特許文献２】特開２００７−１９４０７１号公報
【発明の概要】
【発明が解決しようとする課題】
【０００６】
特許文献１に記載の照明装置は、発熱量が大きく、また回路が複雑で部品数が多い。ＬＥＤ素子が発熱した熱を、熱伝導体を介して放熱する構造を有しているが、それでもＬＥＤ素子が高温となり、ＬＥＤ素子の寿命に影響を及ぼす。また特許文献２に記載の照明装置は、多くのＬＥＤ素子を使用しているが、各ＬＥＤ素子の発光量が少ない問題がある。
【０００７】
本発明の目的は、簡単な回路でＬＥＤ素子の温度を低く抑えることが可能な照明装置を提供することであり、さらに各ＬＥＤ素子の温度を低く抑えることにより小型化が可能なＬＥＤ素子を使用した照明装置を提供することである。
【課題を解決するための手段】
【０００８】
上記課題を解決する第１発明は、少なくとも１個のＬＥＤ素子を備えるＬＥＤ回路がＮ段直列に接続されて構成されるＬＥＤ群と、交流電力の供給を受けるための交流電源端子と、入力端子と出力端子とを有し、前記入力端子に供給される交流電流を全波整流して前記出力端から出力する全波整流回路と、コンデンサと前記コンデンサに並列に接続した抵抗とを備える並列回路と、前記ＬＥＤ群と前記全波整流回路と前記コンデンサおよび前記抵抗を備える前記並列回路とを保持するための樹脂製回路基板と、前記樹脂製回路基板を収納するハウジングと、を備え、前記並列回路を構成する前記コンデンサの容量を０．５マイクロファラッド以上で１０マイクロファラッド以下の範囲の値とすることにより、前記並列回路から前記ＬＥＤ群に供給されるＬＥＤ電流のピーク値が前記コンデンサの容量に依存して定まるようになし、さらに前記ＬＥＤ群に前記ＬＥＤ電流を供給するために前記並列回路が供給する電流が遮断期間と通電期間を有すると共に、前記遮断期間より前記通電期間が長くなるようになし、前記コンデンサと前記抵抗とを有する前記並列回路と前記全波整流回路の前記入力端子とが、前記交流電源端子間に直列に接続されることにより、前記並列回路が発生する前記コンデンサの充放電電流が、前記全波整流回路を介して脈動電流の状態で、しかも前記脈動電流のピーク値が前記コンデンサの容量に依存し且つ前記遮断期間より前記通電期間が長くなる状態で、前記ＬＥＤ群を前記ＬＥＤ電流として流れるようにし、前記ＬＥＤ群を流れる前記ＬＥＤ電流の最大値が前記並列回路を構成する前記コンデンサの容量に依存して定まり、また前記コンデンサと前記抵抗を有する前記並列回路が供給する前記充放電電流が前記遮断期間を有しており、前記並列回路から供給されて前記ＬＥＤ群を流れる前記ＬＥＤ電流の前記遮断期間が前記ＬＥＤ回路の前記段数Ｎに基づいて定まり、前記全波整流回路の使用により前記ＬＥＤ群を流れる前記ＬＥＤ電流の前記遮断期間より前記ＬＥＤ群を流れる前記ＬＥＤ電流の前記通電期間の方が長くなるようにした、ＬＥＤを使用した照明装置であって、前記各ＬＥＤ素子の電流が流れ始める前記各ＬＥＤ素子への供給電圧をＶＬＣとし、前記ＬＥＤ群を構成する前記ＬＥＤ回路の段数を前記Ｎとし、供給される前記交流電圧の実効電圧をＰＶとしたとき、前記段数Ｎは、次の式、  ＶＬＣ×Ｎ  ≧  ＰＶ／４  、が成立する値であって、前記ＬＥＤ回路の段数Ｎを９段以上で４０段以下の範囲の数とし、これにより前記ＬＥＤ群を流れる全波整流された脈動電流の各脈動ごとの前記遮断期間が形成され、前記コンデンサの容量を０．５マイクロファラッド以上で１０マイクロファラッド以下の範囲の値とし、これにより全波整流されて形成された前記各脈動電流における電流ピーク値が設定され、前記電流ピーク値に基づいて明るく感知させる周期的な最大発光量が生成されるように設定されるものであり、前記樹脂製回路基板が前記ハウジングに設けられることにより、前記樹脂製回路基板の両面に空隙が形成されると共に、前記樹脂製回路基板の両面がそれぞれ前記空隙内の空気に直接触れる状態となり、前記樹脂製回路基板の中央部に少なくとも前記コンデンサと前記抵抗とを��する前記並列回路と前記整流回路が配置され、前記中央部の外周に前記ＬＥＤ群を構成する前記ＬＥＤ回路が配置されている、ことを特徴とするＬＥＤを使用した照明装置。
【０００９】
上記課題を解決する第２発明は、第１発明のＬＥＤを使用した照明装置において、前記樹脂製回路基板の中央部に少なくとも前記コンデンサと前記抵抗とを備える前記並列回路と前記整流回路が配置され、前記中央部の外周に複数の円を描くように前記ＬＥＤ群を構成する前記ＬＥＤ回路が配置され、前記複数の円は互いに同心円を為すように配置されている、ことを特徴とするＬＥＤを使用した照明装置である。
【００１０】
上記課題を解決する第３発明は、第１発明あるいは第２発明のＬＥＤを使用した照明装置において、前記各段を構成する前記各ＬＥＤ回路は、その一方側において第１接続配線により一方側の隣接するＬＥＤ回路と接続され、その他方側において第２接続配線により他方側の隣接するＬＥＤ回路と接続されることにより、互いに直列に接続され、前記各ＬＥＤ回路は、前記第１接続配線に接続された一方側第１接続端子と一方側第２接続端子、および前記第２接続配線に接続された他方側第１接続端子と他方側第２接続端子、を有し、前記一方側第１接続端子と前記他方側第１接続端子とが対向するように配置され、また前記一方側第２接続端子と前記他方側第２接続端子とが対向するように配置され、互いに対向する前記一方側第１接続端子と前記他方側第１接続端子との間に１つのＬＥＤ素子が接続され、互いに対向する前記一方側第２接続端子と前記他方側第２接続端子との間に他のＬＥＤ素子が接続される、ことを特徴とするＬＥＤを使用した照明装置である。
【００１１】
上記課題を解決する第４発明は、第１発明あるいは第２発明のＬＥＤを使用した照明装置において、前記各段を構成する前記各ＬＥＤ回路は、その一方側において第１接続配線により一方側の隣接するＬＥＤ回路と接続され、その他方側において第２接続配線により他方側の隣接するＬＥＤ回路と接続されることにより、互いに直列に接続され、前記各ＬＥＤ回路は、前記第１接続配線に接続された一方側第１接続端子と一方側バイパス端子、および前記第２接続配線に接続された他方側第１接続端子と他方側バイパス端子、を有し、前記一方側バイパス端子と前記他方側バイパス端子を電気的に接続することにより、前記ＬＥＤ回路のバイパス回路が形成される、ことを特徴とするＬＥＤを使用した照明装置である。
【００１２】
上記課題を解決する第５発明は、第１発明乃至第４発明の内の１のＬＥＤを使用した照明装置において、前記ハウジングは一方の面に光を透過する光透過カバーを有し、前記光透過カバーに対向するように前記樹脂製回路基板が前記ハウジング内に配置され、前記樹脂製回路基板の前記光透過カバー側に前記ＬＥＤ群を配置した、ことを特徴とするＬＥＤを使用した照明装置である。
【００１３】
上記課題を解決する第６発明は、第５発明のＬＥＤを使用した照明装置において、前記樹脂製回路基板の前記光透過カバー側に前記ＬＥＤ群に加えて前記コンデンサと前記抵抗とを備える前記並列回路と前記整流回路が配置されている、ことを特徴とするＬＥＤを使用した照明装置である。
【００１４】
上記課題を解決する第７発明は、第６発明のＬＥＤを使用した照明装置において、前記ハウジングは、円筒部を有する第１ケースと円筒部を有する第２ケースとを有し、前記第１ケースの前記円筒部と前記第２ケースの前記円筒部とは互いに径の大きさが異なる形状を成して互いに重なり合うように配置され、前記第１ケースには円形の孔が形成され、前記第１ケースの前記孔の部分に前記光透過カバーを配置した、ことを特徴とするＬＥＤを使用した照明装置である。
【００１５】
上記課題を解決する第８発明は、第７発明のＬＥＤを使用した照明装置において、前記第２ケースに前記樹脂製回路基板がねじで固定されている、ことを特徴とするＬＥＤを使用した照明装置である。
【発明の効果】
【００１６】
本発明によれば、簡単な回路でＬＥＤ素子の温度を低く抑えること可能な照明装置を提供することができ、さらに各ＬＥＤ素子の温度を低く抑えることが可能になったことにより、小型化が可能なＬＥＤ素子を使用した照明装置を提供するが可能しなる。
【図面の簡単な説明】
【００１７】
【図１】ＬＥＤ素子を使用した照明装置の電気回路を示す説明図である。
【図２】ＬＥＤ素子の特性を示す特性図である。
【図３】交流電圧波形に対するコンデンサ２２２の端子間電圧波形を示す図である。
【図４】ヒューズ２２４を流れる電流波形を示す図である。
【図５】整流回路２３０からＬＥＤ群２５０に供給される電流の波形を示す図である。
【図６】ＬＥＤ群２５０を２段の整流回路２３０で構成した場合のＬＥＤ群２５０を流れる電流波形を示す図である。
【図７】ＬＥＤ群２５０を９段の整流回路２３０で構成した場合のＬＥＤ群２５０を流れる電流波形を示す図である。
【図８】コンデンサ２２２に並列に設けた抵抗２２０の抵抗値を変化させた場合のコンデンサ２２２と抵抗２２０とからなる回路のインピーダンスの変化を示す図である。
【図９】コンデンサ２２２と抵抗２２０の並列回路において、コンデンサ２２２の容量を変化させた場合のコンデンサ２２２と抵抗２２０とからなる回路のインピーダンスの変化を示す図である。
【図１０】本発明を適用したダウンライトの側面図の部分断面図である。
【図１１】本発明を適用したダウンライトの底面図である。
【図１２】本発明を適用したダウンライトに使用する回路基板上の部品の配置を示す説明図である。
【図１３】本発明を適用した管状の照明装置２００の外観図である。
【図１４】本発明を適用した他の実施例を示す管状の照明装置２００の外観図である。
【図１５】本発明を適用した管状照明装置に使用する基板を示す図である。
【図１６】本発明を適用した管状照明装置に使用する基板の他の実施例を示す図である。
【図１７】本発明を適用した管状照明装置のブラケット及びケースの概略縦断面図である。
【図１８】図１７のケースのＡ−Ａ断面図である。
【図１９】図１７のブラケットのＢ−Ｂ断面図である。
【図２０】本発明を適用した管状照明装置に使用するＬＥＤ回路の配線図である。
【発明を実施するための形態】
【００１８】
本発明が解決しようとする基本的な課題は、簡単な回路でＬＥＤ素子の温度を低く抑えること可能な照明装置を提供することである。
【００１９】
前記基本的な課題を解決する第１の発明は、少なくとも1個のＬＥＤ素子を備えるＬＥＤ回路が複数段直列に接続されて構成されるＬＥＤ群と、交流電力の供給を受けるための交流電源端子と、入力端子と出力端子とを有し入力端子に供給される交流電流を整流して出力端から出力する整流回路と、コンデンサと、ハウジングとを備え、前記コンデンサと前記整流回路の前記入力端子とが、前記交流電源端子間に直列に接続され、前記コンデンサの充放電電流が前記整流回路を介して前記ＬＥＤ群に流れ、前記ＬＥＤ群が有する各ＬＥＤ素子を発光させることを特徴とするＬＥＤを使用した照明装置である。
【００２０】
前記基本的な課題を解決する第２の発明は、第１の発明において、前記各ＬＥＤ素子の電流が流れ始める前記各ＬＥＤ素子への供給電圧をVLCとし、前記ＬＥＤ群を構成する前記ＬＥＤ回路の段数をNとし、供給される前記交流電圧の実効電圧をPVとしたとき、前記段数Nは、次式、  VLC×N  ≧  PV／４  、が成立する値である、ことを特徴とするＬＥＤを使用した照明装置である。
【００２１】
この発明では、直列接続される前記ＬＥＤ回路の段数Nを増やすことにより、以下の実施例で説明する如く、前記各ＬＥＤ素子が消灯している時間を確実に所定時間確保することができ、前記各ＬＥＤ素子を流れる電流の実効値を抑制できる。前記各ＬＥＤ素子の発熱は前記各ＬＥＤ素子を流れる電流の実効値に依存するので、前記各ＬＥＤ素子の発熱及び温度上昇を抑制できる。以下の実施例で説明する如く、人間の視覚は発光量の実効値だけでなく発光量の大きさの影響を受け、例えば同じ電流の実効値を供給するＬＥＤ素子同士を比較した場合に発光量のピーク値が高い方が明るく感じる。このような技術思想の下に、前記各ＬＥＤ素子の消灯時間を確実に確保することが重要である。その方法として、前記ＬＥＤ回路の段数を確保することが望ましい。例えば家庭用１００ボルト電源では、８段乃至９段以上のＬＥＤ回路を直列に接続することが望ましい。このようにすることで、各ＬＥＤ素子を所定時間繰り返し消灯することが可能となる。
【００２２】
前記基本的な課題を解決する第３の発明は、第１または第２の発明において、前記ＬＥＤ回路の段数Nが５段以上４０段以下であることを特徴とするＬＥＤを使用した照明装置である。
【００２３】
前記基本的な課題を解決する第４の発明は、第１の発明または第２の発明であって、前記ＬＥＤ群に供給される電圧は脈動電圧であり、前記脈動電圧が所定値より小さい状態では前記ＬＥＤ群の各ＬＥＤ素子が消灯状態となり、前記ＬＥＤ素子の消灯状態が前記脈動電圧の変化に同期して発生すし、前記各ＬＥＤ回路は、１個以上５個以下のＬＥＤ素子が並列接続されて構成されている、ことを特徴とするＬＥＤを使用した照明装置である。
【００２４】
前記基本的な課題を解決する第５の発明は、第１の発明乃至第４の発明の内の１の発明において、前記コンデンサの容量は、0.5マイクロファラッド以上で、10マイクロファラッド以下である、ことを特徴とするＬＥＤを使用した照明装置である。
【００２５】
以下の実施例で説明する如く、コンデンサの容量を変えることにより、前記ＬＥＤ素子を流れるピーク電流値を変えることが可能である。0.1マイクロファラッドから0.5マイクロファラッドにコンデンサの容量を増加することで、前記ＬＥＤ素子を流れるピーク電流値を何倍も増大できる。一方上述したごとく各ＬＥＤ素子の消灯時間は、ＬＥＤ回路を直列に接続した段数で決まる。従ってＬＥＤ素子の消灯時間を確実に確保して電流の実効値を低減し、ＬＥＤ素子の発熱を抑え、一方前記ＬＥＤ素子を流れるピーク電流値を増大して短時間ではあるが発光量のピーク値を増大させ、この発光量のピーク値を視覚の残像時間より短い周期で繰り返し得ることにより、望ましい照明装置が得られる。
【００２６】
前記基本的な課題を解決する第６の発明は、第１の発明乃至第５の内の１の発明において、前記各コンデンサに抵抗が並列に接続されている、ことを特徴とするＬＥＤを使用した照明装置である。
【００２７】
前記基本的な課題を解決する第７の発明は、第１の発明乃至第６の発明の内の１の発明において、前記ハウジング内にさらに平らな板状の基板が収納されており、前記基板の中央部に、少なくとも前記コンデンサと前記整流回路が配置されており、前記中央部の外周に前記ＬＥＤ群を構成する前記ＬＥＤ回路が同心円を成すように配置されていることを特徴とするＬＥＤを使用した照明装置である。以下の実施例で説明するように、本願が適用される照明装置は発熱量を非常に低く抑えることが可能であり、金属板による放熱装置を必要としない。このため樹脂基板の中央に回路部品を配置し、周囲にＬＥＤ群を略円形に配置することが可能である。このことにより、コンパクトで性能の良い照明装置を実現できる。
【００２８】
前記基本的な課題を解決する第８の発明は、第１の発明乃至第６の発明の内の１の発明において、前記ハウジング内にさらに、略長方形の形状を成す平らな板状の基板が収納されており、前記基板の長手方向に沿って、前記ＬＥＤ回路が配置されており、前記略長方形の形状を成す前記基板の一端側に、少なくとも前記コンデンサと前記整流回路が配置されていることを特徴とするＬＥＤを使用した照明装置である。以下の実施例で説明するように、本願が適用される照明装置は発熱量を非常に低く抑えることが可能であり、金属板による放熱装置を必要としない。このためこのような回路配置が可能となる。
【００２９】
前記基本的な課題を解決する第９の発明は、第７の発明あるいは第８の発明において、前記基板は樹脂で作られた基板であり、前記基板は前記ハウジングに固定されており、前記基板の表面と裏面とにより前記基板の表面側および前記基板の裏面側にそれぞれ空隙が形成され、前記基板の表面には少なくとも前記ＬＥＤ群と前記コンデンサが設けられ、前記基板の裏面は空隙を満たす空気に接する構造を成すことを特徴とするＬＥＤを使用した照明装置である。以下の実施例で説明するように、本願が適用される照明装置は発熱量を非常に低く抑えることが可能であり、金属板による放熱装置を必要としない。このためこのような回路配置が可能となる。
【００３０】
前記基本的な課題を解決する第１０の発明は、第１の発明乃至第８の発明の内の１の発明において、前記コンデンサの容量を変化させる機構を有し、前記コンデンサの容量を変化させて前記ＬＥＤ群の発光量を変化させるようにしたことを特徴とするＬＥＤを使用した照明装置である。
【００３１】
前記基本的な課題を解決する第１１の発明は、第８の発明において、前記ハウジングは樹脂製の円筒管で構成されており、前記円筒管の内側には、略長方形の形状をなす平らな板状の基板の短軸方向の両側を挟み込む溝が、前記円筒管内側の両側にそれぞれ、長手方向の軸に沿うように、成形されており、前記円筒管の内側の前記溝に、前記基板の短軸方向の両側が挟み込まれて、前記基板が前記円筒管に固定されることを特徴とするＬＥＤを使用した照明装置。
【００３２】
前記基本的な課題を解決する第１２の発明は、第１１の発明において、前記円筒管を固定するブラケットの内側に、前記略長方形の形状をなす平らな板状の基板の短軸方向の両側を挟み込む溝が、設けられており、前記基板の長手方向の両端が前記円筒管の長手方向の両端よりそれぞれ突出しており、前記基板の長手方向の両端の前記円筒管より突出した部分が、前記ブラケット内側の溝に挟み込まれて、前記基板が前記ブラケットに固定されることを特徴とするＬＥＤを使用した照明装置。
【００３３】
前記基本的な課題を解決する第１３の発明は、第１の発明乃至第１２の発明の内の１の発明において、ＬＥＤ群を構成する前記ＬＥＤ回路は、前記ＬＥＤ回路が有する並列接続の各ＬＥＤ素子の両端が接続されるための第１接続端子と第２接続端子が各ＬＥＤ素子に対応して設けられており、前記各ＬＥＤ素子の一方の端子がそれぞれ前記第１接続端子に接続されることにより前記各ＬＥＤ素子の一方の端子がそれぞれ並列に接続され、前記各ＬＥＤ素子の他方の端子がそれぞれ前記第２接続端子に接続されることにより前記各ＬＥＤ素子の他方の端子がそれぞれ並列に接続され、さらに前記第１接続端子と前記第２接続端子にそれぞれ接続される第１バイパス端子と第２バイパス端子が設けられており、前記第１バイパス端子と第２バイパス端子とを電気的に接続することにより、前記ＬＥＤ回路を構成する並列接続のＬＥＤ素子をバイパスするバイパス回路が作られることを特徴とするＬＥＤを使用した照明装置。
【００３４】
前記基本的な課題を解決する第１４の発明は、第１乃至第１２の発明内の１の発明において、前記ＬＥＤ群を構成する各前記各ＬＥＤ回路のための各ＬＥＤ配線回路では、前記ＬＥＤ回路を構成する並列接続されるＬＥＤ素子の数の第１接続端子が並列接続された状態で設けられ、また前記ＬＥＤ回路を構成する並列接続されるＬＥＤ素子の数の第２接続端子が並列接続された状態で設けられ、さらに前記第１接続端子に接続された第１バイパス端子と、前記第２接続端子に接続された第２バイパス端子と、が設けられ、前記ＬＥＤ群を構成する前記ＬＥＤ回路の数より多い、前記ＬＥＤ配線回路が直列に接続されて前記基板上に複数の同心円状に配置され、前記ＬＥＤ群を構成する数の前記ＬＥＤ配線回路には、各第１接続端子と各第２接続端子間にそれぞれＬＥＤ素子が設けられ、前記ＬＥＤ群を構成する前記ＬＥＤ回路の数を超えた前記ＬＥＤ配線回路にはその第１バイパス端子と第２接続端子とが電気的に接続され、前記ＬＥＤ素子が設けられ前記ＬＥＤ配線回路は、前記第１バイパス端子と第２接続端子とが電気的に接続され前記ＬＥＤ配線回路に対して、外周側に配置されていることを特徴とするＬＥＤを使用した照明装置。
【００３５】
以下に説明する発明を実施するための形態（以下、実施例と記す）は、上述した発明が解決しようとする課題の欄に記載した課題や発明の目的、を解決および達成することは当然であるが、これらに止まるものではなく、他にも色々な課題を解決でき、色々な目的を達成できる。また、以下に説明する実施例は、発明の効果の欄に記載した発明の効果に止まるものではなく、他にも色々な効果を奏することが可能である。以下発明が解決しようとする課題の欄や発明の効果の欄に記載した内容も含め、以下に説明する実施例により解決される課題や達成される効果の内の幾つかを次に列挙する。なお、各構成には理解を助けるために、以下に説明する図面に記載した参照符号を付している。
【００３６】
１．〔ＬＥＤ素子２５２の発熱量の低減あるいはＬＥＤ群２５０の温度上昇の抑制〕
（１）以下に説明する実施例では、ＬＥＤ素子２５２に加えられる電圧が周期的に変化し、前記電圧変化に同期してＬＥＤ素子が点灯と消灯とを繰り返す。このため発熱する期間と発熱しない期間が周期的に表れ、ＬＥＤ素子２５２の発熱量が抑えられ、またＬＥＤ群２５０の温度上昇を抑制できる。ＬＥＤ素子の消灯時間を繰り返し確保することで電流の実効値を低減でき、ＬＥＤ素子の発熱を抑制できる。
【００３７】
（２）以下に説明する実施例では、少なくとも1個のＬＥＤ素子２５２を備えるＬＥＤ回路２５４が複数段直列に接続されて構成されるＬＥＤ群２５０に、周期的に変動する電力を供給しているので、ＬＥＤ素子が消灯している期間を確実に確保することができる。これによりＬＥＤ素子の発熱あるいは温度上昇を抑制することができる。
【００３８】
（３）発明者の検討結果によれば、ＬＥＤ回路２５４が直列接続される段数を増加すると、ＬＥＤ素子２５２を流れる電流が遮断されている期間が増加する。もし、ＬＥＤ群２５０が１個のＬＥＤ回路２５４で構成される、すなわち１段のＬＥＤ回路２５４でＬＥＤ群２５０が構成されている場合、ＬＥＤ素子２５２を流れる電流が瞬間的に遮断されるが、電流遮断期間が極めて短い。このためＬＥＤ素子２５２に流れる電流の実効値は、ＬＥＤ素子２５２に電流が流れ続けている状態とほとんど変わらない。ＬＥＤ回路２５４の直列接続の段数が５段以上、好ましくは９段以上となると、ＬＥＤ素子２５２を流れる電流の遮断期間が適正に確保される。これにより、ＬＥＤ素子２５２を流れる電流の実効値を大幅に低減できる。一方照明の明るさは、電流の実効値だけでなく繰り返し供給される電流のピーク値の影響を受ける。従ってＬＥＤ素子２５２を流れる電流の遮断期間を増やして電流の実効値を抑制しても、照明の明るさの減少を少なくできる。
【００３９】
（４）ＬＥＤ群２５０を構成するＬＥＤ素子２５２の発熱は、ＬＥＤ素子２５２を流れる電流の実効値に基づく。一方明るさを感知する人の視覚は、周期的に繰り返される最高発光量あるいは高い発光量の影響を受ける傾向がある。従ってＬＥＤ素子２５２の電流の遮断期間を確実に確保して電流の実効値を抑え、一方ＬＥＤ素子２５２の電流導通状態では適切な電流値、すなわち比較的高い電流値を得ることが望ましい。以下の実施例では、コンデンサ２２２の容量を適切に選択することで、望ましい電流値を確保することができる。以下で説明するように、コンデンサ２２２の容量を増大させることで、電流値、特にピーク値を高くできる。発熱をできるだけ抑制するが、一方発光量の減少は少なくできる照明装置を提供できる。
【００４０】
（５）一般の照明装置では、ＬＥＤ素子が高温となるため、金属製の放熱板が設けられていても部分的に高温となり、金属板の近くを手で触れると火傷するおそれがある。以下に説明する実施例では、ＬＥＤ群２５０に脈動電圧が供給されるようにし、供給される電圧の変化に同期して、ＬＥＤ素子２５２を流れる電流が遮断している期間を確実に確保できるので、ＬＥＤ素子２５２の温度上昇を抑制できる。仮に動作中に手で触れても火傷の恐れが無い。
【００４１】
２．〔ＬＥＤ素子２５２の発光量の制御〕
（１）以下に説明する実施例では、コンデンサ２２２と整流回路２３０の入力端とが直列の関係で交流電源１００に接続されていて、整流回路２３０の出力端にはＬＥＤ群２５０が接続されていて、コンデンサ２２２の充放電電流が整流回路２３０を介してＬＥＤ群２５０を構成するＬＥＤ素子２５２を流れる。ＬＥＤ群２５０に供給される脈動電圧に対してＬＥＤ素子２５２を流れる電流の遮断期間はＬＥＤ群２５０を構成するＬＥＤ回路２５４の直列接続の段数に大きく依存する。一方流れる電流値の大きさはコンデンサ２２２の容量に大きく依存する。従ってコンデンサ２２２の容量を適正に選択することにより、各ＬＥＤ素子２５２の発光量を適正に設定できる。なお、この場合であってもＬＥＤ群２５０を構成するＬＥＤ回路２５４の段数により電流遮断期間を確実に確保できる。例えばＬＥＤ回路２５４の段数が５段、好ましくは９段以上であれば十分な電流遮断期間を確実に確保できる。従って段数を増やすことで、ＬＥＤ群２５０を流れる電流の実効値を抑制することができる。このことは発熱の抑制に大きく貢献する。
【００４２】
（２）以下に説明する実施例では、抵抗２２０の値を１Ｋオームから徐々に下げるとＬＥＤ群２５０を流れる電流値が増加する。特に５００オーム以下の値とするとＬＥＤ群２５０を流れる電流値が増加し、各ＬＥＤ素子２５２は明るくなる。なお、この場合であってもＬＥＤ群２５０を構成するＬＥＤ回路２５４の直列接続の段数により電流遮断期間を確実に確保できる。例えばＬＥＤ回路２５４の段数が５段、好ましくは９段以上であれば十分な電流遮断期間を確実に確保できる。このことは上述したように電流の実効値を抑制し、発熱を低減できる。
【００４３】
３．〔回路構成のシンプル化〕
（１）以下に説明する実施例では、供給される交流電力を整流して前記ＬＥＤ群に加えており、交流波形に基づいて発生する脈流とＬＥＤ群２５０を構成するＬＥＤ回路２５４の段数とに基づいて、ＬＥＤ群２５０を流れる電流の通電期間と遮断期間とを適正に設定できる。このような構造でＬＥＤ素子２５２の発熱を低減できるので、回路全体が大変シンプルである。これにより生産性の改善や装置の小型化が可能となる。
【００４４】
（２）以下に説明する実施例では、ＬＥＤ群２５０を流れる電流値の制御を、整流回路２３０と直列に接続されるコンデンサ２２２の容量を選択することにより行っているので、ＬＥＤ素子２５２の明るさの設定や調整が大変簡単である。
【００４５】
（３）ＬＥＤ群２５０およびその他の回路部品からの発熱が大変少ないので、樹脂製の基板を使用でき、放熱のための特別な金属板が不要である。上記樹脂製の基板を照明装置に固定することで十分であり、特別な放熱機構が無くても、温度の過度な上昇が起こらない。従ってダウンライトや管状照明器具での回路基板の取り付けがシンプルとなる。また装置自身もシンプルである。またダウンライトや管状照明器具などの照明装置の構造体に、金属材料ではなく樹脂を使用しても、十分な安全性を確保できる。
【００４６】
４．〔ＬＥＤを使用した照明装置２００の明るさ確保と温度上昇の抑制〕
（１）以下に説明する実施例では、ＬＥＤ群２５０を構成するＬＥＤ回路２５４の直列接続の段数を５段以上、好ましくは９段以上としているので、ＬＥＤ群２５０を流れる電流の遮断期間を確実に確保できる。一方で整流回路２３０に直列接続されているコンデンサ２２２の容量を適正に設定して、ＬＥＤ群２５０の通電期間中に大きな電流を流すことができる。このためＬＥＤ群２５０の電流値の実効値を抑制しながらピーク発光量を大きくできる。このことにより人の目には明るい印象を与えるが、電流の実効値が抑制されているので発熱量を抑制できる効果がある。
【００４７】
５．〔ＬＥＤを使用した照明装置２００の安全性向上〕
（１）以下に説明する実施例では、ＬＥＤ群２５０を流れる電流の通電期間と遮断期間とを供給される交流電力の変化に同期して確保できるので、ＬＥＤ素子２５２の温度上昇を抑制できる。照明装置を家庭内で使用する場合に埃などが装置内に入り込むことや照明装置２００に埃などが付着することが考えられる。部分的であれ、照明装置２００に高温部分が存在すると埃などに対してたいへん危険である。また照明装置の電源を切らない状態で、照明装置の裏側やケースを外した状態の内部部品に、人が手を触れる恐れがある。この場合に火傷する恐れがある。以下に説明する実施例では、ＬＥＤ素子２５２の温度上昇を抑制できるので、埃などが仮に装置内に入り込むことになっても、あるいは照明装置２００の周囲に埃などが付着しても、発火などの危険性が無い。さらに照明装置の裏側やケースを外した状態の内部部品に人が触れることによる火傷の危険性も低減できる。
【００４８】
特に金属板による放熱構造が無くても、ＬＥＤ素子２５２の温度上昇を抑制できるので、ＬＥＤ素子２５２を収納するケース（ハウジング）自身の部分的な高温状態が生じないので、火傷の危険性を低減できる。
【実施例】
【００４９】
１．照明装置２００の電気回路の説明
次に図１を用いて照明装置２００の電気回路を説明する。照明装置２００の電気回路は、光を発生するＬＥＤ群２５０と電力を供給する回路から構成されている。ＬＥＤ群２５０は後述する樹脂製基板に保持されており、ＬＥＤ素子２５２が少なくとも１個あるいは複数並列に接続されてＬＥＤ回路２５４を構成し、さらにＬＥＤ回路２５４が５個以上好ましくは９個以上直列接続されている。この明細書では、少なくとも１個あるいは複数並列に接続され回路部分をＬＥＤ回路２５４と記し、直列接続された各ＬＥＤ回路２５４の数を段と呼ぶ。図１の実施例では、ＬＥＤ回路２５４は３個のＬＥＤ素子２５２の並列接続で構成されている。またＬＥＤ回路２５４が３０個直列に接続されている、なおこの状態を、この明細書ではＬＥＤ回路２５４が３０段直列接続されていると記載する。図１ではＬＥＤ回路２５４の一部のみ表示し、他は省略している。なお以下の図１０以降の装置では、ＬＥＤ回路２５４の段数は３１段であったり、あるいは１０段であったり、あるいは１４段であったり、とまちまちであるが、ＬＥＤ回路２５４が５段以上好ましくは９段以上直列接続されていれば、基本的な動作は同じである。一般家庭用の１００ボルト電源では、ＬＥＤ回路２５４の段数が多すぎると通電できる時間が減少し過ぎ、発光量が確保し難くなる。１００ボルト交流電源では４０段以下が良く、好ましくは３５段以下である。これ以上ＬＥＤ素子２５２の数を増やすには、図１に示す回路構成を新たに追加する方が良い。
【００５０】
ＬＥＤ群２５０に電流を供給する回路は、コンデンサ２２２と整流回路２３０とヒューズ２２４を備えており、これらは直列に接続されている。またコンデンサ２２２には抵抗２２０が並列に接続されている。さらに交流電源端子２１０が設けられており、この交流電源端子２１０は例えば照明装置２００を家庭用電源である交流電源１００に接続するためのコンセントである。
【００５１】
交流電源１００から供給される交流電圧が、コンデンサ２２２と整流回路２３０とヒューズ２２４で構成されている直列回路に加えられる。交流電圧波形の振幅の増大に基づいて整流回路２３０の入力端子２３２に加わる電圧が増大し、整流回路２３０の出力端子２３４から出力される電圧が増大する。各ＬＥＤ素子２５２は図２に示す特性を有しており、各ＬＥＤ素子２５２の順方向に加わる電圧が増大し、電圧VLCを超えると各ＬＥＤ素子２５２に電流が流れ始め、各ＬＥＤ素子２５２は発光し始める。図１の回路では、ＬＥＤ回路２５４が３０個直列に接続されているので、整流回路２３０の出力端子２３４から供給される電圧が、電圧VLCの３０倍の電圧を超えると、交流電源１００からコンセントである交流電源端子２１０の一方、コンデンサ２２２、ＬＥＤ群２５０、ヒューズ２２４、交流電源端子２１０の他方を介して電流が流れる。この電流に基づきＬＥＤ群２５０は発光する。この電流は、交流波形の増加に基づき急激に増大し、交流波形の減少に基づき急激に減少し、やがて整流回路２３０の出力端子２３４から出力される電圧が電圧VLCの３０倍の電圧より小さくなると、ＬＥＤ群２５０を流れていた電流は遮断される。電流の遮断に基づき、ＬＥＤ群２５０の発光は停止する。整流回路２３０は全波整流回路から構成されているので、交流電源１００から供給される交流波形の次の半サイクルでまた同様の動作を繰り返す。
【００５２】
２．ＬＥＤ素子２５２の特性
ＬＥＤ素子２５２の特性について一部上述したが、図２を使用して再度説明する。ＬＥＤ素子２５２に純方向の電圧VLを加え、この電圧VLを図２の横軸に沿って略ゼロ（V）の状態から徐々に上昇させると、VLC（V）を超える状態から純方向に電流ILが流れ始め、発光を開始する。電流ILは電圧VLの増加と共に上昇するが一般のダイオードよりは傾斜が緩やかである。このことは、ＬＥＤ素子２５２は内部抵抗が大きいことを示しており、電流ILに基づく発熱が大きいことを示している。
【００５３】
ＬＥＤ素子２５２に供給される電圧を徐々に減少させると、流れる電流値ＩＬはそれに伴って減少し、ＬＥＤ素子２５２に加わる電圧がＶＬＣ以下になると、ＬＥＤ素子２５２を流れていた電流ＩＬが遮断され、発光を停止する。
【００５４】
ＬＥＤ素子２５２としては、緑色ＬＥＤや赤色ＬＥＤ、青色ＬＥＤ、白色ＬＥＤ、等があるが、白色ＬＥＤは、上記VLC（V）が他の色のＬＥＤに比べ高い傾向がある。また白色ＬＥＤは他の色のＬＥＤに比べ、内部電圧降下が大きい傾向がある。このことは、白色ＬＥＤは電流に対する発熱量が大きいことを示している。
【００５５】
３．ＬＥＤ群２５０を流れる電流特性
図１のＬＥＤ群２５０を構成するＬＥＤ回路２５４を流れる電流について次に述べる。図３は照明装置２００に供給される交流電源１００の電圧波形Ｖ１０２に対するコンデンサ２２２の端子間の電圧波形Ｖ１０４を示す。また、図４は、前記交流電源１００の供給電圧に基づく整流回路２３０の入力側の電流波形、すなわちヒューズ２２４を流れる電流ｉ１０２の電流波形を示す。また図５は整流回路２３０の出力側の電流波形、すなわちＬＥＤ群２５０を構成するＬＥＤ回路２５４を流れる電流ｉ１０４の電流波形を示す。ＬＥＤ回路２５４は３個のＬＥＤ素子２５２の並列接続で構成されているので、各ＬＥＤ素子２５２には、図５に示す電流ｉ１０４の約３分の１の電流が流れる。なお、図３と図４、図５に示す波形は、コンデンサ２２２を５μファラッド（μＦ）、抵抗２２０を１Ｍオーム、ヒューズ２２４の抵抗値を１００オームとして、山梨大学が提供しているシミュレーションプログラムＱＵＣＳを使用してシミュレーションした結果である。
【００５６】
図３乃至図５を用いて説明する。図３に示す電圧Ｖ１０２は交流電源１００から供給される電圧波形であり電圧の実効値は１００（Ｖ）で、この波形はサインカーブを描き、正方向電圧のピーク値は約１４０（V）、負方向電圧のピーク値は約−１４０（V）であり、ピークツーピークの電圧値は、約２８０（V）である。電圧Ｖ１０４は、コンデンサ２２２の端子電圧であり、交流電源１００から供給される電圧に基づいて充放電を繰り返す。
【００５７】
時点Ｔ１の少し前の状態ではコンデンサ２２２は、交流電源端子２１０側が負、整流回路２３０側が正の方向に充電されており、仮にコンデンサ２２２の容量が５（μＦ）とすると、コンデンサ２２２の端子電圧Ｖ１０４は、ＬＥＤ群２５０が電流を流し始める電圧に近い値となっている。すなわち、ＬＥＤ群２５０ではＬＥＤ回路２５４が３０段直列に接続されているので、コンデンサ２２２の端子電圧Ｖ１０４は、図２に示す電圧ＶＬＣの３０倍の電圧値に近い値である。
【００５８】
時点Ｔ１では、交流電源１００の電圧が正方向に切り替わった時点であり、この時点Ｔ１で交流電源１００の正方向の電圧とコンデンサ２２２の端子電圧Ｖ１０４とが同方向に加算された状態で整流回路２３０を介してＬＥＤ群２５０に加わる。時点Ｔ１で電流ｉ１０２が流れ始め、コンデンサ２２２は逆方向の充電、すなわち放電を開始する。電流ｉ１０２が整流回路２３０を介してＬＥＤ群２５０を流れ、ＬＥＤ群２５０は発光し始める。図４に示す電流ｉ１０２と図５に示す電流ｉ１０４は、電流ｉ１０２の負方向の電流が整流回路２３０により正方向の電流に変化していることが相違するのみで、他は電流ｉ１０２と一致している。
【００５９】
コンデンサ２２２の容量を小さくすると、電流ｉ１０２が流れ始める時点Ｔ１が位相的に前に進む傾向となり、例えばコンデンサ２２２の容量を１（μＦ）にすると、電流ｉ１０２が流れ始める時点Ｔ１が電圧Ｖ１０２のゼロクロス点より前に位置する。一方コンデンサ２２２の容量を大きくすると、電流ｉ１０２が流れ始める時点Ｔ１が遅れる傾向となり、例えばコンデンサ２２２の容量が５０（μＦ）にすると電流ｉ１０２が流れ始める時点Ｔ１が電圧Ｖ１０２のゼロクロス点より後方に移動する。
【００６０】
時点Ｔ１を過ぎるとコンデンサ２２２の放電電流が電流ｉ１０２および電流ｉ１０４として流れ、その後図３に示す如く、コンデンサ２２２は逆方向に充電され、ＬＥＤ群２５０に加わる電圧が徐々に減少する。時点Ｔ２で、ＬＥＤ群２５０に加わる電圧が電流を流す最低電圧より小さくなり、ＬＥＤ群２５０を流れる電流は遮断される。
【００６１】
この実施例ではコンデンサ２２２の容量が５（μＦ）であり、コンデンサ２２２にはＬＥＤ群２５０の電流が遮断される状態での電圧が保持される状態となる。次に交流電源１００の電圧が負方向に切り替わり増加し始めると、コンデンサ２２２も負方向に充電されているので、交流電源１００の電圧にコンデンサ２２２の端子電圧が加算された状態でＬＥＤ群２５０に供給され、時点Ｔ３で再びＬＥＤ群２５０に電流が流れ始める。コンデンサ２２２は放電状態から逆方向の充電状態に切り替わり、時点Ｔ４でＬＥＤ群２５０を流れる電流が遮断される。
【００６２】
次に再び時点Ｔ１からＬＥＤ群２５０に電流が流れ始める。このように時点Ｔ２と時点Ｔ３の間でＬＥＤ群２５０の電流が遮断され、時点Ｔ４と次のサイクルの時点Ｔ１の間でＬＥＤ群２５０の電流が遮断される。コンデンサ２２２の容量を５（μＦ）位にすると、流れ始め時点Ｔ２は略交流電圧波形Ｖ１０２のゼロクロス点となる。コンデンサ２２２の容量を大きくすると例えば５０（μＦ）位にすると電流遮断期間が遅れ側に移動し、コンデンサ２２２の容量を小さくすると例えば１（μＦ）位にすると電流遮断期間が進み側に移動する傾向を示す。
【００６３】
４．ＬＥＤ回路２５４を流れる電流値と回路構成
ＬＥＤ素子２５２の温度上昇を抑制し、利用者に対して照明装置を明るく感じさせるには、ＬＥＤ素子２５２を流れる電流の実効値を抑制し、ピーク電流値を大きくすることが１つの方法である。ＬＥＤ素子２５２の発熱は電流の実効値に依存する。一方照明の利用者は発光量の実効値だけではなく、最大発光値の影響を受ける。人の感覚は最大刺激値の影響を大きく受ける。明るい状態が繰り返し発生すると、明るい状態で入射した光に基づき視覚が反応する。この明るい状態が繰り返し発生することで、その途中に暗い状態があっても、利用者には同じ実効値による変動しない状態より周期的に明るくなる方が、より明るく感じる。従ってＬＥＤ群２５０の電流遮断期間を確実に確保し、さらに所定値以上のピーク電流値を確保することが望ましい。なお、ＬＥＤ素子２５２の発光特性に関し、電流値と発光量は、厳密には電流の増加に対して発光量が少し低下する傾向を示すが、この低下は極微小であり、略比例関係にあるとみることができる。また家庭用電源など、商用電源では５０ヘルツあるいは６０ヘルツで極性が変わり、点灯領域あるいは消灯領域は、１００ヘルツあるいは１２０ヘルツの周波数で発生する。この周波数は、視覚の残像特性に対して十分に短い周期であり、人間の視覚では連続して輝いているように感じる。
【００６４】
４．１  ＬＥＤ群２５０の電流ｉ１０４の電流遮断期間
ＬＥＤ群２５０の電流遮断期間は、ＬＥＤ群２５０を構成するＬＥＤ回路２５４の直列接続の数、すなわちＬＥＤ回路２５４の段数に大きく依存する。例えばＬＥＤ回路２５４を１個乃至数個（例えば２段以下）にすると、電流遮断期間はほとんどなくなる。図６はＬＥＤ回路２５４を２個直列にした状態のＬＥＤ群２５０を流れるｉ１０４の波形を示している。電流遮断期間が非常に少ない。
【００６５】
一方図７は、ＬＥＤ群２５０を９段のＬＥＤ回路２５４で構成した状態のＬＥＤ群２５０を流れるｉ１０４の波形を示している。各周期毎に確実にＬＥＤ群２５０を流れる電流ｉ１０４の遮断状態が存在し、ＬＥＤ群２５０を流れる電流ｉ１０４の遮断期間が確実に確保されている。
【００６６】
従って、ＬＥＤ群２５０は少なくとも５段以上、望ましくは９段以上のＬＥＤ回路２５４を有することである。なお、図５は、ＬＥＤ回路２５４を３０段設けた例であり、電流ｉ１０４の遮断期間がさらに長くなっている。
【００６７】
このように電流ｉ１０４の遮断期間を確実に確保することで、発熱しない期間を確実に設けることができる。さらにＬＥＤ群２５０を流れる電流の実効値を低く抑えることができる。ＬＥＤ素子２５２の発熱量は流れる電流の実効値に依存するので、電流の実効値を低く抑えることにより、発熱を低減でき、ＬＥＤ素子２５２の温度上昇を抑制できる。
【００６８】
４．２  ＬＥＤ群２５０の電流ｉ１０４の電流ピーク値
ＬＥＤ群２５０を流れる電流ｉ１０４のピーク値は、コンデンサ２２２の容量に大きく依存する。図６と図7はいずれもコンデンサ２２２の容量を５(μF）とした場合にＬＥＤ群２５０を流れる電流波形を示している。ＬＥＤ群２５０を構成するＬＥＤ回路２５４の段数の違いにより、電流遮断期間が異なるが、電流のピーク値は略同じである。すなわちＬＥＤ群２５０を流れる電流のピーク値はコンデンサ２２２の容量に大きく依存する。
【００６９】
コンデンサ２２２の容量を０．１(μF）から２０(μF）まで変化させた場合のＬＥＤ群２５０を流れる電流ｉ１０４のピーク値の変化を表１に示す。この場合、ＬＥＤ回路２５４の段数は３０段、また抵抗２２０の値は１Mオーム、ヒューズ２２４の抵抗は１００オームである。コンデンサ２２２の容量が０．１(μF）状態に対して、コンデンサ２２２の容量を１(μF）にするとＬＥＤ群２５０を流れる電流ｉ１０４のピーク値が約１０倍になる。コンデンサ２２２の容量を５(μF）にするとコンデンサ２２２の容量が１(μF）の場合に対して、４倍以上となる。さらにコンデンサ２２２の容量を増加させると、ＬＥＤ群２５０を流れる電流ｉ１０４のピーク値は、表１に示す如くさらに増加する。
【００７０】
しかしコンデンサ２２２の容量を大きくし過ぎるとＬＥＤ群２５０に流れるピーク電流が大きくなり過ぎる問題が生じる。またピーク電流を抑えるために直列に大きな抵抗を入れることが考えられるが、抵抗を使用すると追加した抵抗が発熱する問題がある。従ってコンデンサ２２２の容量は１(μF）程度から１０(μF）の範囲に抑えるのが望ましい。コンデンサ２２２の容量が５(μF）で１８０（ｍＡ）のピーク電流が流れる。ＬＥＤ素子２５２について１個当たり６０（ｍＡ）になり、ＬＥＤ素子２５２の１個当たりのピーク電流値としては十分な値と考えることができる。ピーク電流を抑制するのに、もちろん抵抗を使用しても良い。この場合上述したように抵抗が発熱するので最適ではないが、回路部品として抵抗は入手し易く、また信頼性も高い。従ってコンデンサ２２２と直列抵抗の組み合わせでピーク電流値を制御することは、抵抗による発熱や電力使用効率の低下を除けば、色々メリットがある。
【００７１】
図８は、コンデンサ２２２の容量を５(μF）に固定して、抵抗２２０の抵抗値を変化させた場合のインピーダンスの変化を示す。なお縦軸と横軸の単位はオームである。抵抗２２０の抵抗値が１Ｋオーム以下では、抵抗２２０の抵抗値の変化がインピーダンスの変化に大きく寄与している。従ってＬＥＤ群２５０を流れる電流を設定、制御する場合に、抵抗２２０の抵抗値を図８の領域Ｒ１の範囲内の値とすることが望ましい。抵抗２２０の抵抗値を図８の領域Ｒ２の値とした場合には、抵抗２２０の抵抗値を変化させても照明装置２００の特性に対してほとんど影響を及ぼさない。
【００７２】
図９は、抵抗２２０の抵抗値を１Ｍオームに固定し、コンデンサ２２２の容量を１ＰＦから５(μF）まで変化させた状態を示す。縦軸の単位はオームであり、例えば1.00E＋06は1Mオームを意味しており、1.00E＋02は100オームを示している。コンデンサ２２２の容量が0.01(μF）より小さい領域Ｒ３では、コンデンサ２２２の容量を変化させてもインピーダンスを変化させることにはならない。コンデンサ２２２の容量が0.01(μF）より大きい領域Ｒ４では、コンデンサ２２２の容量の変化に応じてインピーダンスが変化する。従ってＬＥＤ群２５０を流れる電流ｉ１０４のピーク値に大きな影響を及ぼす。このことは表１からも裏付けられる。従って。コンデンサ２２２の容量を領域Ｒ４内の値とすることで、ＬＥＤ群２５０を流れる電流ｉ１０４を適正に設定できる。またコンデンサ２２２の容量を変化させる機構、例えば図１の容量可変機構２２６により、利用者が照明装置の明るさを変化させることができる。ＬＥＤ群２５０を流れる電流ｉ１０４をPWM制御しても照明装置の明るさを変化させることができるが、コンデンサ２２２の容量を変化させることでも照明装置の明るさ調整が可能である。コンデンサ２２２の容量を変化させる制御の方法が、電力消費の改善や発熱の点で有利である。すなわちPWM制御では、部品数が増加し、各部品の電力消費や発熱が問題となる。またPWM制御を行うスイッチング素子は導通動作時や遮断動作時に発熱する。
【００７３】
コンデンサ２２２の値を選択してＬＥＤ群２５０を流れる電流ｉ１０４を適正に選ぶことは、ヒューズ２２４のように整流回路２３０に対して直列の抵抗を利用して電流値を設定するより発熱低減の点で優れている。すなわち電力損失が少ない。しかし、上述のように発熱の点で少しデメリットがあるが、コンデンサ２２２のみでＬＥＤ群２５０の電流値を設定するだけでなく、コンデンサ２２２と抵抗の併用でＬＥＤ群２５０の電流値を設定しても良い。
【００７４】
４．３  セラミックコンデンサの使用
以下の図１０から図１６に記載の照明装置２００に使用する場合は、コンデンサ２２２として体積が小さいセラミックコンデンサを使用することが望ましい。しかしセラミックコンデンサは容量が電解コンデンサに比べて小さく、５(μF）のコンデンサを得ることが難しい。従って２．５(μF）のコンデンサを２個並列に接続する、あるいはさらに容量の小さいセラミックコンデンサを複数個並列接続することが望ましい。
【００７５】
４．４  コンデンサ２２２の容量を可変にすることによる照明装置２００の明るさ調整
図１でコンデンサ２２２の容量を可変にすると、表１や上述の図を用いて説明したごとく、ＬＥＤ群２５０を流れる電流値の大きさを変えることができる。図１でコンデンサ２２２として可変容量コンデンサを使用することで照明装置２００の明るさを調整できる。可変容量コンデンサを用いなくても、容量の異なる複数のコンデンサの接続を選択的に切り替える機構を設け、整流回路２３０の入力端子２３２と交流電源端子２１０との間に接続されるコンデンサを切り替えるようにしても良い。容量可変機構２２６はつまみを回転することによりコンデンサの接続を切り替えることができる機構である。容量可変機構２２６により接続するコンデンサを変える構造とすることで照明装置２００の明るさを調整することが可能となる。ＰＷＭによる電流のデューティを変える方法に比べ、コンデンサ２２２の容量を可変にする方法は回路の部品数が少なく、全体がシンプルとなる。表１に示す如くコンデンサ２２２の容量を容量可変機構２２６により切り替えることで、広範囲にＬＥＤ群２５０を流れる電流を切り替えることが可能となり、明るさを広範囲に変えることが可能となる。
【００７６】
５．照明装置２００の構造１
図１０と図１１は、照明装置２００の一実施例であり、天井などに取り付けるダウンライトに本発明を適用した例である。図１０は照明装置２００の側面図の部分断面図、図１１は平面図である。また図１２は照明装置２００の内部に収納されている平らな形状のプリント配線用の基板２０である。照明装置２００のハウジング４００は、取り付け金具４２０と内側ケース４２２、外側ケース４２４、ガラスあるいは透明樹脂からなる内カバー４２６を備えている。このハウジング４００の内部にＬＥＤ群２５０を保持するための平らな板状の基板２０がねじ４３２により固定されている。取り付け金具４２０と外側ケース４２４で天井などの固定部４８０を挟み、取り付け金具４２０に固定されたブラケット４４２に外側ケース４２４がねじ止めされることで、ハウジング４００が天井などの固定部４８０に固定される。
【００７７】
上述したようにＬＥＤ群２５０は極めて低温に維持されているので、放熱のための金属板は設けられていない。前記基板２０は一方の面にＬＥＤ群２５０やコンデンサ２２２、抵抗２２０、整流回路２３０、ヒューズ２２４が設けられており、他方の面は狭い空間を介して内側ケース４２２の内側の面と対向している。
【００７８】
この照明装置２００は、ＬＥＤ群２５０の発熱が低減され、温度上昇が抑制されているので、金属製の放熱板が不要であり、また基板２０と内側ケース４２２との間の空間を狭くでき、基板２０と内カバー４２６の間の空間も狭くできるので、照明装置２００の厚み方向の幅を抑制できる。
【００７９】
更にハウジング４００の温度を低く抑えられるので、仮に綿埃などがハウジング４００にくっ付いても発化する心配がない。また、動作中に不用意にハウジング４００に手で触っても火傷する心配がない。
【００８０】
図１２に示す平らな板状の基板２０には、その中央部に抵抗２２０やコンデンサ２２２、整流回路２３０、ヒューズ２２４が設けられており、その外周にＬＥＤ回路２５４が円形に同心円状に配置されている。さらにその外側にねじ４３２で固定するためのねじ穴２２が３か所設けられている。なお、ＬＥＤ回路２５４の全てに符号を付すと煩雑となるため、直列接続されたＬＥＤ回路２５４の一部にのみ符号を付している。ＬＥＤ回路２５４同士を接続する線は、ＬＥＤ回路２５４を直列に接続するための配線である。
【００８１】
このように基板２０の中央部に抵抗２２０やコンデンサ２２２、整流回路２３０ヒューズ２２４を配置し、その外周側にＬＥＤ回路２５４を等角度で同心円状に配置しているので、使用スペースが少なく、小型化が可能である。また外周側にＬＥＤ回路２５４を等角度で同心円状に配置することで、中央部が暗くても、明るさのむらに対する違和感を低減できる。
【００８２】
６．照明装置２００の構造２
図１３あるいは図１４に管状の照明装置２００を示す。図１３に示す照明装置２００では、ブラケット４４２とブラケット４４４とにより、照明用の円筒管４４６が保持されている。照明用の円筒管４４６の内部に図１５あるいは図１６に示す電気部品３０が挿入されて固定されている。電気部品３０の基板２０を保持する具体的な保持構造は、図１７乃至図１９で説明する。ブラケット４４２あるいはブラケット４４４は照明用の円筒管４４６を保持するだけでなく、どちらか一方から交流電力が供給される。照明用の円筒管４４６の内部に収納されている電気部品は高温になることが無いので、特に金属製の放熱板を必要としていない。従って構造は非常にシンプルであり、生産性に優れている。照明用の円筒管４４６はガラスを材料として使用したガラス管でも良いし、略透明の樹脂を使用した樹脂製の管、あるいは曇りまたは着色した樹脂製の管でも良い。
【００８３】
図１４は蛍光灯を保持するのと同様の構造で照明装置２００の照明部分４５０を保持するタイプである。照明部分４５０は、固定管４５２と固定管４５４を有しており、照明用の円筒管４４６が固定管４５２と固定管４５４とにより保持されている。照明用の円筒管４４６の内部には、図１５あるいは図１６に示す電気部品３０が挿入されて固定されている。電気部品３０の基板２０を照明用の円筒管４４６の内部に保持する構造の１例は図１８に示す構造である。図１８については以下で説明する。固定管４５２と固定管４５４は照明用の円筒管４４６を支えているが、さらにどちらか一方から交流電力が供給される。上述したようにＬＥＤ回路２５４からの発熱が非常に少ないため、放熱用の金属板が不要であり、図１３や図１４の構造は大変シンプルになる。
【００８４】
図１５と図１６は、図１３と図１４に示す照明用の円筒管４４６や照明用の円筒管４４６の内部に収納される、電気部品３０の構造を示す。図１５や図１６では、基板２０の一端に抵抗２２０やコンデンサ２２２、整流回路２３０、ヒューズ２２４が設けられている。さらに全体にわたって直列に接続されたＬＥＤ回路２５４が配置されている。ここでＬＥＤ回路２５４が９個以上設けられることにより、上述ようにＬＥＤ回路２５４の電流遮断状態の期間が確実に確保され、温度上昇が低減される。図１５や図１６の方式は、消費電力が小さいタイプの照明装置２００であり、ＬＥＤ回路２５４は１個のＬＥＤ素子２５２で構成されている。図１５ではＬＥＤ回路２５４を構成する１個のＬＥＤ素子２５２が一列に、直線的にしかも略等間隔に配置されている。さらに図１６では１個のＬＥＤ素子２５２で構成されるＬＥＤ回路２５４がチドリ状に配置されている。図１５や図１６に示すＬＥＤ回路２５４の配置により、発光のむらを低減できる。なお、図１２ではコンデンサ２２２として並列接続された複数のコンデンサを有している。セラミックコンデンサは小型であるが容量が電解コンデンサに比べ小さい欠点を有する。従ってセラミックコンデンサを複数個並列に接続することによりコンデンサ２２２を構成することが、装置の小型化などの上で有利である。同様の考え方を図１５や図１６の電気部品３０にも適用することができる。
【００８５】
図１７は、図１３で説明した管状照明装置のブラケット４４２及び照明用の円筒管４４６の内部構造を示す説明図であり、図１８は、図１７の円筒管４４６のＡ−Ａ断面図であり、図１９は、図１７のブラケット４４２のＢ−Ｂ断面図である。図１７に示すように、基板２０の端部からリード線３１１、３１２が引き出されており、これらリード線３１１、３１２はコンセントである交流電源端子２１０へと接続される。ここで、基板２０は、ブラケット４４２又は照明用の円筒管４４６にそれぞれ設けられた溝にはめ込まれる事で固定される。これについて、以下詳述する。なお、図１８で説明する構造は、図１４に示す照明用の円筒管４５６による基板２０の固定にも使用でき、図１８を用いて説明する効果を照明用の円筒管４４６と同様、照明用の円筒管４５６でもそうすることができる。
【００８６】
図１８に示すように、照明用の円筒管４４６の円筒管内側３２０には、略長方形の形状をなす平らな板状の基板２０の短軸方向の両側を挟み込む溝３２１が、円筒管内側３２０の両側にそれぞれ、長手方向の軸に沿うように、成形されている。円筒管４４６の内側の溝３２１に、基板２０の短軸方向の両側が挟み込まれて、基板２０が円筒菅である照明用の円筒管４４６に固定されることとなる。なお、溝３２１は、円筒管４４６の内側に長手方向の軸に沿って凹部を形成しても良いが、図１８に示す如く、溝３２１の両サイドに逆に突起３２２と突起３２３を円筒管４４６の長手方向に沿って設けることで、突起３２２と突起３２３との間に凹部を形成しても良い。上述したように図１８に示す基板２０の固定構造は、図１４に示す円筒管４５６にも適用でき、以下で説明する図１８の効果は、図１３に示す円筒管４４６だけでなく、図１４に示す円筒管４５６においても奏することができる。
【００８７】
図１９に示す如く、ブラケット４４２の内側３３０には、上記略長方形の形状をなす平らな板状の基板２０の短軸方向の両側を挟み込む溝３３２が、設けられている。基板２０の長手方向の両端は、照明用の円筒管４４６の長手方向の両端よりそれぞれ突出しており、この基板２０の円筒管４４６より突出した部分が、ブラケット内側の溝３３２に嵌め込まれて、基板２０がブラケット４４２に固定される。なお、上記溝３３２は、ブラケット４４２の内側３３０に成形された基板保持部３３１に凹状に形成される。以上により、円筒管４５６やブラケット４４２に簡単な構造で基板２０を固定することができる。また、本発明を適用した管状照明装置によれば、ＬＥＤ素子２５２の発熱を抑えることができるので、ブラケット４４２、照明用の円筒管４４６、基板２０はそれぞれ樹脂製のものを適用することができる。
【００８８】
円筒管４４６の内側３２０に成形された溝３２１とブラケット４４２の内側３３０に設けられた溝３３２とは、それぞれ対応する位置に設けることで、基板２０の各溝３３１、３３２への嵌め込みによる基板２０、ブラケット４４２及び照明用の円筒管４４６を一体的に固定することが出来る。
【００８９】
本発明では、基板２０に設けられている各ＬＥＤ素子２５２の発熱を抑制でき、各ＬＥＤ素子２５２の温度を低く抑えることが可能であり、基板２０には金属製の放熱板が不要である。従来の技術に基づく照明装置の基板は、放熱の目的で金属製の放熱板を用いており、配線用基板が前記金属製の放熱板により機械的に補強されているとの副次的な効果が生ずる。しかし、本発明では、前記金属製の放熱板が不要である。その結果、樹脂製基板２０が反るなどの新たな課題が発生する。特に図１５や図１６に開示する細長い構造では、基板の反りを抑制することが必要となる。円筒管４４６の内側３２０に成形された溝３２１は樹脂製基板２０の短辺軸における両端を挟み込む構造で、しかも溝３２１は長軸に沿って長く伸びているので、長軸方向の基板２０の反りを抑制できる。上記溝３２１幅は、樹脂製基板２０の厚みより少し大きい状態であり、溝３２１に沿って基板２０を容易に挿入することができ、生産性にも優れている。溝３２１により基板２０を保持しているので、地震などの振動に対しても基板２０を確実に保持することができ、安全性の上でも優れている。また、図１８に示す構造では、溝３２１の両側に突起３２２と突起３２３を設けることにより、溝３２１を成形している。これら突起３２２と突起３２３は、図１３や図１４に示す、円筒管４４６や円筒管４５６の補強にもなる。
【００９０】
円筒管４４６の両端は、ブラケット４４２や図示を省略したブラケット４４４の基板保持部３３１の面にそれぞれ当接し、基板保持部３３１は単に基板を保持するだけでなく、円筒管４４６の長手軸方向の移動を阻止している。地震などの振動に対して、円筒管４４６が確実に固定されているので安全である。
７．ＬＥＤ回路２５４の配線回路の構成
図２０は、例えばダウンライトに使用するＬＥＤ回路２５４のための配線基板の詳細図である。上述したように、ＬＥＤ回路２５４は、３つのＬＥＤ素子の両端が接続されるための第１接続端子３０１と第２接続端子３０２が、各ＬＥＤ素子に対応して設けられている。図示していない各ＬＥＤ素子の一方の端子がそれぞれ第１接続端子３０１に接続されることにより上記各ＬＥＤ素子の一方の端子がそれぞれ並列に接続される。また、上記図示していない各ＬＥＤ素子の他方の端子がそれぞれ第２接続端子３０２に接続されることにより上記各ＬＥＤ素子の他方の端子がそれぞれ並列に接続される。このようにして、このＬＥＤ回路２５４は、３個のＬＥＤ素子２５２の並列接続で構成されている。このＬＥＤ回路２５４には、さらに、第１接続端子３０１と第２接続端子３０２にそれぞれ接続される第１バイパス端子３０３と第２バイパス端子３０４が設けられている。これら第１バイパス端子３０３と第２バイパス端子３０４とを電気的に接続することにより、このＬＥＤ回路２５４は、上記並列接続されたＬＥＤ素子をバイパスするバイパス回路が作られることとなる。これにより、このＬＥＤ回路２５４は第１バイパス端子３０３と第２バイパス端子３０４とを電気的に接続することで容易に短絡することができ、各ＬＥＤ回路２５４を使用するか否かによる最適段数のＬＥＤ群２５０を容易に生産することができる。
【００９１】
図１に示すＬＥＤ群２５０は、図２０に示すＬＥＤ回路２５４を１段として、３０段直列に接続されている。顧客仕様に合わせてその都度基板２０を生産することは、非効率的である。図１のＬＥＤ群２５０を構成するための配線回路を、図２０に示すＬＥＤ回路２５４の配線構造の直列接続構造とすることで、顧客の色々な仕様に対して、基板２０を共通に使用できる。顧客仕様に合わせて使用するＬＥＤ回路２５４の数を設定し、使用しないＬＥＤ回路２５４は、図２０に示す第１バイパス端子３０３と第２バイパス端子３０４とを電気的にバイパス接続する。なお、第１バイパス端子３０３と第２バイパス端子３０４とのバイパス接続は、ジャンパ抵抗を使用することができる。
【００９２】
図１２において、顧客仕様に対応したＬＥＤ回路２５４の段数を設け、使用しないＬＥＤ回路２５４では、ＬＥＤ素子２５２を接続しないで、第１バイパス端子３０３と第２バイパス端子３０４とを電気的にバイパス接続する。ＬＥＤ群２５０をできるだけ発光むらが生じないようにすることが望ましく、ＬＥＤ素子２５２を接続しないＬＥＤ回路２５４を均等に配置することが望ましい。例えば図１２の同心円状に配置されたＬＥＤ回路２５４の内側の円を構成するＬＥＤ回路２５４の第１バイパス端子３０３と第２バイパス端子３０４とを電気的につなぐことにより、内側を暗くし、外側を均等に明るくすることが、発光むらを抑えるうえで有効である。また第１バイパス端子３０３と第２バイパス端子３０４とを電気的につなぐＬＥＤ回路２５４を同心円状の配置においてできるだけ均等に設けることが望ましい。
【００９３】
【表１】
0005232311.tif 000002
【符号の説明】
【００９４】
１００・・・交流電源、２２０・・・抵抗、２２２・・・コンデンサ、２３０・・・整流回路、２２４・・・ヒューズ、２５０・・・ＬＥＤ群、２５２・・・ＬＥＤ素子、２５４・・・ＬＥＤ回路、４００・・・ハウジング、４２０・・・取り付け金具、４２２・・・内側ケース、４２４・・・外側ケース、４２６・・・内カバー、４４６・・・照明用の円筒管、４５６・・・照明用の円筒管。
【要約】      （修正有）【課題】照明装置に使用されるＬＥＤ素子の温度上昇を抑えるとともに、照明装置の明るさの向上を図る。【解決手段】ＬＥＤ素子２５２を備えるＬＥＤ回路２５４が５段以上直列に接続されて構成されるＬＥＤ群２５０と、交流電力の供給を受けるための交流電源端子と、入力端子と出力端子とを有し入力端子に供給される交流電流を整流して出力端から出力する整流回路２３０と、コンデンサ２２２とを備え、前記コンデンサ２２２と前記整流回路２３０の前記入力端子とが、前記交流電源端子間に直列に接続され、前記コンデンサ２２２の充放電電流が前記整流回路２３０を介して前記ＬＥＤ群２５０に流れ、前記ＬＥＤ群２５０が有する各ＬＥＤ素子２５２を発光させるように成し、前記コンデンサ２２２の容量を0.5μＦ以上10μＦ以下とした照明装置２００。【選択図】図１【図１】
0005232311.tif 000003
【図２】
0005232311.tif 000004
【図３】
0005232311.tif 000005
【図４】
0005232311.tif 000006
【図５】
0005232311.tif 000007
【図６】
0005232311.tif 000008
【図７】
0005232311.tif 000009
【図８】
0005232311.tif 000010
【図９】
0005232311.tif 000011
【図１０】
0005232311.tif 000012
【図１１】
0005232311.tif 000013
【図１２】
0005232311.tif 000014
【図１３】
0005232311.tif 000015
【図１４】
0005232311.tif 000016
【図１５】
0005232311.tif 000017
【図１６】
0005232311.tif 000018
【図１７】
0005232311.tif 000019
【図１８】
0005232311.tif 000020
【図１９】
0005232311.tif 000021
【図２０】
0005232311.tif 000022